(57)【特許請求の範囲】
【請求項１】
ネジ螺合した二つの被締緩部材各々に回動不能に係合させ、双方を相対的に反対方向に回動させることにより、一方側を他方側に対して締め付け又は緩められるようにしたネジ締緩装置において、
この装置が、本体部(1) と、ネジ螺合した一方側の被締緩部材を他方側の被締緩部材に対して回動操作する回動操作部材(2) とを備え、回動操作部材(2) が、一方側の被締緩部材の外周と係合し得る操作部材係合部(21)を備え、
本体部(1) の他端側には、他方側の被締緩部材の外周に係合し得る本体係合部(14)が備えられ、一端側には、回動操作部材(2) を支持する筒状の支持部(3) が備えられ、支持部(3) の筒内が、回動操作部材(2) を回動自在且つ軸方向摺動自在に嵌挿し得る嵌挿部(31)をなし、本体部(1) の本体係合部(14)に連通されることにより、螺合した二つの被締緩部材が同時に本体係合部(14)と嵌挿部(31)側とに配位できるようになされるとともに、嵌挿部(31)内への回動操作部材(2) の嵌挿に伴い回動操作部材(2) の操作部材係合部(21)が嵌挿部(31)側に配位された一方側の被締緩部材と係合可能とされ、
この支持部(3) が、嵌挿部(31)内に嵌挿した回動操作部材(2) と支持部(3) とを回動不能に係止しうる係止機構(23)(52a) を備え、支持部(3) が、本体部(1) に回動自在に配設され、回動操作部材(2) と支持部(3) との係止状態において嵌挿部(31)に嵌挿した回動操作部材(2) を支持部(3) と共に回動できるようにしたものであることを特徴とするネジ締緩装置。
【請求項２】
上記回動操作部材(2) の操作部材係合部(21)が、六角形状をなすナットやボルトの頭部の外周を嵌め入れられるように一端面側から軸方向に穿設された操作部材係合孔(21)から構成され、
回動操作部材(2) が、操作部材係合孔(21)とナット等の外周とを係合させつつ嵌挿部(31)内に嵌挿できるようになされたものであることを特徴とする請求項１記載のネジ締緩装置
【請求項３】
上記回動操作部材(2) が、支持部(3) の嵌挿部(31)に嵌挿される回動操作本体部(320) と、操作部材係合部(21)を有するパイプ固定部材(330) との二つからなるものであり、
パイプ固定部材(330) が、操作部材係合部としてのパイプ挾持手段(333)(334)を備えることにより、パイプを挾持できるようになされ、
このパイプ固定部材(330) が、回動操作本体部(320) に回動不能且つ摺動可能に接続されることにより、支持部(3) による回動操作本体部(320) の回動に伴ってパイプを挾持したパイプ固定部材(330) が回動操作本体部(320) を軸方向に摺動しつつ回動操作本体部(320) と共に回動できるようになされたものであることを特徴とする請求項１記載のネジ締緩装置
【発明の詳細な説明】
【０００１】
【産業上の利用分野】
本願発明は、ボルトとナット、あるいは、ボルト等に螺合したナット同士、
更には、パイプと継手、等の二つの被締緩部材に同時に係合させ、一方側の被締緩部材を他方側の被締緩部材に対して締め付け又は緩めるのに使用するネジ締緩装置の改良に関する。
【０００２】
【従来の技術】
例えばボルトに対してナットを締め又は緩める場合において、ボルトが固定されていない場合、あるいは二つのナットを互いに締め付ける場合、一方側のみを回転させても他方もそれに伴って共に回ってしまう。その場合、例えば二つのスパナ部材を支持部材によって接続し、これらを並設した二つのナットに同時に係合させ、一方のスパナ部材に対し他方のスパナ部材を機械的に回動操作させることも考えられるが、二つのナットの外周に形成された六角部各々が同じ方向位置になるのは稀で、ほとんどの場合、夫々異なる任意な方向位置に配設されているため、二つのスパナ部材に形成した係合部夫々を同時に二つのナットの外周に係合させられない。
そこで、本出願人は、上記課題を解決するものとして、実願平５−７５９２９号に、例えばねじ螺合したボルトとナットの各々の外周に互いの六角部同士の方向位置に係わらず常時同時に係合させられる装置を提案した。
この締付装置は、図１３に示すように本体部ａと、ナットを回動操作する回動操作部材ｂとから構成し、又、本体部ａの一端側にボルトの頭部に係合し得る本体係合部ｃを備え、一方、回動操作部材ｂには、先端にナットの外周に係合する操作部材係合部ｂ１を備えるとともに、後端にラチェット機構により接続した湾曲状の押圧部材ｂ２を取り付けたものとしている。そして、ボルトとナットとを締め付ける場合、本体部ａの本体係合部ｃにボルトの頭部を係合させ、その後、回動操作部材ｂを、ボルトに螺合したナットの外周に係合させる。その状態で回動操作部材ｂを本体部ａの他端側に沿わし、外れ止めピンｄを、回動操作部材ｂに設けた遊嵌溝ｂ３に入れ外れないようにして回動自在に取付け、本体部ａに設けたシリンダーｅを可動させることにより、シリンダーｅのピストンが押圧部材ｂ２の端部を押圧して可動させる。これにより、ラチェット機構により回動操作部材ｂが押圧部材ｂ２に押圧されて回動する。更に、回動操作部材ｂを回動させる場合は、ピストンを元に戻すとともに、押圧部材ｂ２を回動操作部材ｂに対して手でピストン方向に押す。これにより、押圧部材ｂ２がラチェット機構により回動操作部材ｂに対して押圧部材ｂ２のみがピストン方向に可動し、再度ピストンで押圧可能状態にでき、同様にピストンによる押圧部材ｂ２の押圧で回動操作部材ｂを回動することができる。
しかしながら、回動操作部材ｂの後端にラチェット機構を備えるとともに、湾曲状の押圧部材ｂ２を取り付けているため、回動操作部材ｂ全体が重く嵩張ったものとなっている。そのため、回動操作部材ｂを本体部ａに取り付けるに際し、回動操作部材ｂの操作が難く、回動操作部材ｂの取付け作業が困難なものとなってしまう。特に、作業現場が狭いような場合には、大きく重量のある回動操作部材ｂを本体部ａに取り付けるのは容易でない。しかも、回動操作部材ｂと本体部ａとを外れないように手で支えながら外れ止めピンｄで外れ止めしなければならず、操作が面倒なものになっているという課題がある。
【０００３】
一方、例えばパイプに管状の継手を締め付ける場合は、パイプレンチを用いて行われるが、パイプレンチでもパイプ外周を滑り易く、特にパイプ及び継手の双方が固定されていない場合は、二つのパイプレンチを用いて行わなければならず、困難を極める。又、その場合に、例えば上記装置を利用し、本体係合部ｃ及びナット係合部ｂ１各々に、パイプ、継手をクランプできるクランプ部材を備えたものとする装置も考えられるが、パイプは継手に対して回ると同時に軸方向にも移動するため、クランプしてもパイプを継手に対して回すことができない。
【０００４】
【発明が解決しようとする課題】
本願発明は、以上の実情に鑑み提案されたもので、ネジ螺合した二つの被締緩部材双方に容易に係合させられ、回動操作部材を本体部に容易にセットできるネジ締緩装置を提供することを第１の目的とする。
本願発明は、ネジ螺合したボルト等とナット、あるいはボルト等に螺合した二つのナットの双方に容易に係合させられ、互いに締め付け又は緩められるネジ締緩装置を提供することを第２の目的とする。
本願発明は、ネジ螺合したパイプと菅状の継手との双方に容易に係合させられ、互いに締め付け又は緩められるネジ締緩装置を提供することを第３の目的とする。
【０００５】
【課題を解決するための手段】
ネジ螺合した二つの被締緩部材各々に回動不能に係合させ、双方を相対的に反対方向に回動させることにより、一方側を他方側に対して締め付け又は緩められるようにしたネジ締緩装置において本願発明は、次の特徴を有するネジ締緩装置を提供することにより上記課題を解決する。
本願第１の発明のネジ締緩装置は、本体部１と、一方側の被締緩部材を他方側の被締緩部材に対して回動操作する回動操作部材２とが備えられる。この回動操作部材２は、一方側の被締緩部材の外周と係合し得る操作部材係合部２１を備える。
本体部１の他端側には、他方側の被締緩部材の外周に係合し得る本体係合部１４が備えられ、一端側には、回動操作部材２を支持する筒状の支持部３が備えられる。そして、支持部３の筒内が、一端側から回動操作部材２を回動自在且つ軸方向摺動自在に嵌挿し得る嵌挿部３１をなし、本体部１の本体係合部１４に連通されることにより、螺合した二つの被締緩部材が同時に本体係合部１４と嵌挿部３１側とに配位できるようになされるとともに、嵌挿部３１への嵌挿に伴い回動操作部材２の操作部材係合部２１が嵌挿部３１側に配位された一方側の被締緩部材と係合できるようになされる。
そして、この支持部３は、嵌挿した回動操作部材２と支持部３とを回動不能に係止しうる係止機構２３、５２ａを備える。又、支持部３が、本体部１に回動自在に配設されることにより、回動操作部材２と支持部３との係止状態において嵌挿部３１に嵌挿した回動操作部材２を支持部３と共に回動するものである。
尚、本願発明でいうネジ螺合した二つの被締緩部材には、螺合によりボルト等に備えられたナットと、そのボルト等に螺合したナットとの二つも含むものである。
【０００６】
本願第２のネジ締緩装置は、本願第１の発明に係る回動操作部材２の操作部材係合部２１が、六角形状をなすナットやボルトの頭部の外周を嵌め入れられるように一端面側から軸方向に穿設された操作部材係合孔２１から構成されることにより、ナットやボルトの頭部と係合できるようになされる。
そして、回動操作部材２が、操作部材係合孔２１とナット等の外周とを係合させつつ、嵌挿部３１の一端側から嵌挿部３１内に嵌挿できるようになされたものである。
【０００７】
本願第３のネジ締緩装置は、本願第１の発明に係る回動操作部材２が、支持部３の嵌挿部３１に嵌挿される回動操作本体部３２０と、操作部材係合部２１を有するパイプ固定部材３３０との二つから構成される。
パイプ固定部材３３０は、操作部材係合部としてのパイプ挾持手段３３３、３３４を備えることにより、パイプを挾持できるようになされる。
又、このパイプ固定部材３３０は、回動操作本体部３２０に回動不能且つ摺動可能に接続されることにより、支持部３による回動操作本体部３２０の回動に伴ってパイプを挾持したパイプ固定部材３３０が回動操作本体部３２０を本体部１の本体係合部１４側に摺動しつつ回動操作本体部３２０と共に回動できるようになされたものである。
【０００８】
【作用】
本願第１の発明においては、回動操作部材２を嵌挿部３１内で操作するだけで、嵌挿部３１側に配位した一方側の被締緩部材と操作部材係合部２１とを容易に係合させることができる。その際、回動操作部材２が一方側の被締緩部材の外周と係合し得る操作部材係合部２１を設けただけのものから構成するため、コンパクトなものとなり、嵌挿部３１内に嵌挿する操作も容易に行うことができる。一方、回動操作部材２を嵌挿部３１に嵌挿した後は、支持部３の係止機構２３、５２ａにより、回動操作部材２と支持部３とを係止状態にでき、支持部３を回動させればそれに伴って嵌挿部３１に嵌挿した回動操作部材２を共に回動操作できる。これにより、回動操作部材２を、本体部１に対して回動させることができ、回動操作部材２の操作部材係合部２１に係合した一方側の被締緩部材を、本体係合部１４に係合した他方側の被締緩部材に対して締緩できる。
【０００９】
又、本願第２の発明においては、回動操作部材２の操作部材係合部２１を、ナットＮやボルトの頭部に嵌合することにより係合できる操作部材係合孔２１から構成するため、例えば螺合したボルトとナットＮとに係合させる場合は、ボルト頭部をその本体部１の本体係合部１４に係合すれば、ナットＮが嵌挿部３１の嵌挿部３１内に配位させることができる。そして、その状態から回動操作部材２の操作部材係合部２１を嵌挿部３１内のナットＮの外周に嵌まるように周方向に回して位置合わせし嵌挿部３１の他端側から嵌挿部３１内に嵌挿すれば、その嵌挿に伴い自然と操作部材係合部２１にナットＮの外周を嵌め入れて係合させることができる。又、回動操作部材２の製作は、操作部材係合孔２１を形成すれば良く、容易に製作でき、大きさの異なる種々のナット等に適合するものを予め容易に準備できる。
【００１０】
一方、本願第３の発明においては、回動操作部材２を、支持部３の嵌挿部３１に嵌挿される回動操作本体部３２０と、回動操作本体部３２０に回動不能且つ摺動可能に接続する操作部材係合部２１を有するパイプ固定部材３３０との二つから構成し、そして、そのパイプ固定部材３３０の操作部材係合部２１にパイプ挾持手段３３３、３３４を備え、回動操作部材２がパイプＰを挾持できるものとする。これにより、例えばパイプＰに螺合した継手Ｇを、本体部１の本体係合部１４に係合させ、パイプ固定部材３３０の操作部材係合部２１でパイプＰ外周を係合させることができる。又、パイプ固定部材３３０によってパイプＰを継手Ｇに対して回すと、同時にパイプＰが軸方向に移動しようとするが、その移動に合わせてパイプＰと係合したパイプ固定部材３３０が回動操作本体部３２０を軸方向に摺動するため、パイプＰを継手Ｇに対して円滑に回すことができる。
【００１１】
【実施例】
以下、図面に基づき、本願発明の一実施例を説明する。
図１は、本願発明の第１実施例のナット締緩装置の分解斜視図である。
【００１２】
第１実施例のネジ締緩装置は、ナット締緩装置とされており、雄ネジの刻設されたボルトやパイプ等に対しそれに螺合したナットを回動操作できるようになされたものである。このナット締緩装置１は、本体部１と、ナットをボルト等に対して回動操作する回動操作部材２とを備えている。
【００１３】
本体部１は、右枠体１１と、左枠体１２と、回動操作部材２を支持する支持部３と、支持部３を回動操作する操作部４とを備えている。右枠体１１と左枠体１２とは、共に板状体から構成され、所定長さのブッシュ１３を介してブッシュ１３の長さ分だけの間隔を隔てて左部と右部とに並設され、その間に支持部３及び操作部４を収納し得るようになされている。右枠体１１の上方側には、本体係合部１４が穿設されている。この本体係合部１４は、ナットと螺合したボルトの頭部、雄ネジの刻設された棒状体の外周、あるいは螺合によりボルトに備えられた他のナットの外周に係合させるためのものであり、この実施例では、六角形状に形成されたボルトの頭部等に嵌合することにより係合し得る形状に形成されている。又、この本体係合部１４の上方側には、係合させるボルトの頭部等を通せる程度の幅で右枠体１１の上面から開口された開口部１４ａが備えられており、この開口部１４ａを介して本体係合部１４がボルトの頭部等の外周に径方向側（軸方向に直角な側方側）から嵌合して係合できるようになされている。又、右枠体１１の左側面における本体係合部１４の周部には、嵌合用溝１５が備えられている。この嵌合用溝１５は、本体係合部１４の軸芯を中心とする円形状に所定幅で形成されている。
【００１４】
一方、左枠体１２の上部側には、支持部嵌挿用孔１６が備えられている。又、この支持部嵌挿用孔１６は、ナットの外周を通せる程度の幅で上端側から開口された開口部１６ａが備えられている。
【００１５】
支持部３は、略円筒状のものから構成されている。この支持部３の内周部は、回動操作部材２を嵌挿する嵌挿部３１をなし、回動操作部材２を嵌め入れられる程度の大きさから構成されている。又、この嵌挿部３１の左端面側は、出し入れ口３１ｂをなし、この出し入れ口３１ｂから回動操作部材２を嵌挿部３１内に入れ、又は、取り出せるようになされている。更に、嵌挿部３１の上部には、左端側から右端側にかけてナットを通せる幅で開口された開口部３１ａが備えられ、この開口部３１ａからナットを嵌挿部３１内に入れられるようになされている。支持部３の外周部の右方側には、右枠体１１の嵌合用溝１５に回動自在に嵌まり込む溝嵌合部３２が備えられている。一方、支持部３の外周部における左端側には、左枠体１２の支持部嵌挿用孔１６に回動自在に嵌合する枠体嵌合部３３が備えられている。そして、支持部３の溝嵌合部３２が右枠体１１の嵌合用溝１５に嵌め込まれるとともに、枠体嵌合部３３に左枠体１２の支持部嵌挿用孔１６が嵌挿された状態で、ブッシュ１３が配設され、ボルト１７とナット１８とにより右枠体１１と左枠体１２とが固定される。尚、ブッシュ１３、ボルト１７及びナット１８は、右枠体１１と左枠体１２との双方の四隅部に夫々四つずつ配設されているが、この図１では、一つだけ示し、他は省略している。このようにして、支持部３は、右枠体１１と左枠体１２との間に右枠体１１の摺動用溝１５に沿って周方向回動可能状態に支持される。又、支持された状態では、嵌挿部３１と本体係合部１４とが双方の軸芯が位置合わせされた状態で連通されるとともに、支持部３の開口部３１ａと、右枠体１１の開口部１４ａ及び左枠体１２の開口部１６ａとが通常状態で位置合わせされている。
【００１６】
支持部３における溝嵌合部３２と枠体嵌合部３３との間には、径大部３４が備えられている。この径大部３４は、溝嵌合部３２や枠体嵌合部３３より径大になされ、左枠体１２と右枠体１１との間に配設された際、左枠体１２及び右枠体１１の両内側面に当接して左枠体１２の操作部嵌挿用孔１６や右枠体１１の本体係合部１４から抜けないようになされている。一方、径大部３４の厚さは、上記のブッシュ１３の長さより薄くなされている。又、径大部３４の後方側の下端部には、駆動部４を取り付ける駆動取付部３４ａを備えている。
【００１７】
又、この支持部３の径大部３４には、嵌挿部３１に嵌挿した回動操作部材２を係止し、この支持部３に対し周方向の一方向側にのみ回動操作するためのラチェット機構部５、５が備えられている。この実施例におけるラチェット機構部５、５は、支持部３の径大部３４における前部と後部との二箇所に設けられている。これらは、共に同じ構成を採り、図２に示すように支持部３の径大部３４の外周面から内周面に貫通された貫通孔５１内に配設された爪部材５２と、爪部材５２を付勢する付勢部材５３と、蓋部材５４とから構成されている。以下、図２における右側（以下、左右上下方向は、図２における方向）のものを、図２に基づき説明する。
【００１８】
爪部材５２は、所定厚さを有し、側面視で略三角形状を呈する。左側面には、全面に渡って複数の歯からなる係合歯５２ａが設けられている。この実施例における各歯は、モジュールが０．６、山高さが０．８ｍｍに形成されている。又、手前側の前側面には、係合歯５２ａ近傍に係合歯５２ａに沿って段部５２ｂが形成されている。この段部５２ｂは、爪部材５２が支持部３の貫通孔５１から支持部３の内周側に抜けないようにする抜け止め用としてのものであり、支持部３の貫通孔５１内に下方側に突設された抜け止め用ピン５１ａに当接するようになされている。一方、上面には、爪案内部材５５が備えられている。この爪案内部材５５は、爪部材５２を上下方向（Ｘ−Ｙ方向）に回動させるためのもので、下部側の球面部５５ａと上部側の平面部５５ｂとを有する。爪案内部材５５の平面部５５ｂは支持部３の貫通孔５１の内上壁５１ａに沿わされ、一方、球面部５５ａの一部が、爪部材５２の前側面に形成された球面部嵌合用孔５６に嵌合され、球面部嵌合用孔５６の内周面が球面部５５ａの外周に沿って滑り動くことにより、爪案内部材５５に対し爪部材５２がＸ−Ｙ方向に回動する。
【００１９】
そして、このように形成された爪部材５２は、支持部３の貫通孔５１内に支持部３の外周側から入れられる。貫通孔５１内に収納された爪部材５２は、爪部材５２の係合歯５２ａの略山の高さ分だけが支持部３の内周面に突出した状態で段部５２ｂが抜け止め用ピン５１ａに当接し、それ以上の支持部３の内周面側への移動が阻止される。その結果、図３に示すように、支持部３の内周面における左右中央の右側寄りに係合歯５２ａが突出する。又、爪案内部材５５の平面部５５ｂが貫通孔５１の内上壁５１ａに当接して内上壁５１ａに沿って摺動することにより爪部材５２全体が貫通孔５１内を略左右方向に摺動可能とされるとともに、爪部材５２が爪案内部材５２ｂに対して回動することにより爪部材５２が貫通孔５１内でＸ−Ｙ方向に回動可能に配設される。
【００２０】
蓋部材５４は、支持部３の貫通孔５１を外周側から塞ぐようにして支持部３に取り付けられ、貫通孔５１内に入れた爪部材５２が外に出ないようにする。一方、付勢部材５３は、コイルスプリング５３からなり、貫通孔５１内における蓋部材５４と爪部材５２との間に配設され、爪部材５２を常時貫通孔５１の内周側に付勢し、爪部材５２の係合歯５２ａが常時支持部３の内周面に突出した状態に維持する。
【００２１】
図１の戻って説明を続けると、操作部４は、本実施例ではシリンダー本体４１と、シリンダー本体４１を摺動するピストン４２とを有するシリンダー４から構成されている。このシリンダー４は、支持部３の下方側における左枠体１２と右枠体１１との間に配設され、シリンダー本体４１の下端側が左枠体１２と右枠体１１とに軸支されるとともに、ピストン４２の先端側が支持部３の駆動取付部３４ａに軸支されている。尚、この操作部４としてのシリンダー４は、支持部３を本体１に対してピストン４２の押引により回動操作するためのものであり、シリンダー４に替え、他の動力手段で行うようにしても良い。又、シリンダー４を使用する場合は、従来から一般に使用されているものを利用でき、適宜なものを選択して使用できる。
【００２２】
回動操作部材２は、図４(A)(B)に示すように円柱状体からなり、中心部に操作部材係合部１２としての操作部材係合部孔２１を備えている。この操作部材係合孔２１は、ナットの外周に係合させるためのもので、ナットの外周に形成された六角部に嵌合して係合し得るように形成されている。又、この操作部材係合孔２１は、外周から開口された開口部２２を備えている。この開口部２２は、ナットの対辺の幅より狭く、且つナットに螺合したパイプ等の径より大きく設定され、この開口部２２を介してナット係合部２１にパイプ等の外周を径方向側から入れられるようにしている。
【００２３】
又、この回動操作部材２の外周には、左端側から右端にかけて、全周に渡って複数の歯からなるラチェット歯２３が備えられている。このラチェット歯２３は、上記爪部材５２の係合歯５２ａに歯合し得るようになされているとともに、ラチェット歯２３全体の外周径が支持部３の嵌挿部３１に周方向に回動可能に、且つ軸方向摺動自在に嵌挿できる程度の大きさに形成されており、回動操作部材２が嵌挿部３１の出し入れ孔３１ａから嵌挿されることにより両歯２３、５２ａが歯合できるようになされている。尚、このラチェット歯２３は、左端側から右端にかけて設けたものに限らず、上記の支持部３の爪部材５２に係合できれる幅で足り、例えば両端を平滑な外周面に形成しても良い。
【００２４】
次に、上記実施例の装置の使用方法について、菅継手Ｔを操作する場合を例にして説明する。この菅継手Ｔによる接続は、図５に示すように右方の菅状棒部材Ｋ２に取り付けた菅継手Ｔに、左方の菅状棒部材Ｋ１に接続したナットＮを、菅継手Ｔに設けられた雄ネジ部Ｔ１に螺合して締め付けることにより、二つの菅状棒部材Ｋ１、Ｋ２を、菅継手Ｔにより接続できるようになされたものである。
【００２５】
まず、図５に示すように回動操作部材２を支持部３の嵌挿部３１内の左方側に半分程度入れ、開口部３１ａ、２２同士を位置合わせしておく。そして、右方の菅状棒部材Ｋ２に取り付けたボルト状の菅継手Ｔに、左方の菅状棒部材Ｋ１と接続したナットＮを菅継手Ｔの雄ネジ部Ｔ１に螺合させ、この状態から本体部１の本体係合部１４を、菅継手Ｔの左右中央に設けられた六角形状の頭部Ｔ２の外周に、本体係合部１４の開口部１４ａから通して係合させる。この係合操作により、菅状棒部材Ｋ１に螺合したナットＮが支持部３の嵌挿部３１内の軸芯位置に、嵌挿部３１の開口部３１ａから自然と入るとともに、左方の菅状棒部材Ｋ１も回動操作部材２の開口部２２から操作部材係合孔２１内に入る。これにより、菅状棒部材Ｋ１、Ｋ２が邪魔になることなく、容易に本体係合部１４に菅継手Ｔの頭部Ｔ２を係合させることができるとともに、支持部３の嵌挿部３１内の軸芯位置にナットＮを入れることができる。
【００２６】
その後、回動操作部材２を周方向に回し、回動操作部材２の操作部材係合孔２１が嵌挿部３１内のナットＮの外周に嵌まるように位置合わせしつつ、更に回動操作部材２を嵌挿部３１内の奥に摺動させる。これにより、回動操作部材２のラチェット歯２３が支持部３の爪部材５２の係合歯５２ａに係合して係止される。尚、その際、回動操作部材２のラチェット歯２３が支持部３の嵌挿部３１の内周に突出した爪部材５２の係合歯５２ａに当接する場合があるが、爪部材５２の係合歯５２ａの山高さが小さいため、爪部材５２が回動操作部材２のラチェット歯２３に当接すると支持部３の貫通孔５１内を径外方向側に逃げ、爪部材５２が回動操作部材２を入れる際の邪魔になることはない。
【００２７】
以上により、ナットＮ及び菅継手Ｔの頭部Ｔ２を同時に係合できるとともに、回動操作部材２と支持部３とを歯合可能状態にでき、セットが完了する。こうすることにより、円柱状の小さい回動操作部材２を支持部３の嵌挿部３１内に押し入れるという操作だけで良く、容易に作業を行うことができる。特に、狭い所での作業の場合には、円滑に行うことができる適したものとなる。
【００２８】
そして、その状態からシリンダー４が作動してピストン４２が突出すると、図２に示すようにそれに伴い支持部３が所定量だけ右方向（図示のＺ方向）に回転する。支持部３が回転し始めると即座に爪部材５２の係合歯５２ａと回動操作部材２のラチェット歯２３とが歯合し、支持部３の右回転に伴い、歯合した爪部材５２は支持部３の貫通孔５１内でＸ方向に回動し、内上壁５１ａ側に寄せられて逃げられなくなり、これに歯合した回動操作部材２が共に回転し、これにより、ナットＮを回すことができる。又、ナットＮは、菅継手Ｔの雄ネジ部Ｔ１に沿って回ると、同時に菅継手Ｔの軸方向にも移動することになるが、この装置では、ナットＮが係合した操作部材係合孔２１の内壁面を滑ることにより移動する。一方、回動操作部材２を支持部３との歯合により回動させる際、爪部材５２の係合歯５２ａ及び回動操作部材２のラチェット歯２３の山高さが低いが、同時に複数が歯合するため、歯合が滑って外れるようなことがない。
【００２９】
その後、ピストン４２が引かれると支持部３が左回転（図２のＷ方向）する。この支持部３の回転に際しては、爪部材５２がコイルスプリング５３に抗して支持部３の貫通孔５１内を径外方向側に逃げ、爪部材５２の係合歯５２ａと回動操作部材２のラチェット歯２３との歯合が外れ、支持部３のみが回動して回動操作部材２は回転しない。以下、ピストン４２の往復動に伴いナットＮを一方向に回すことができる。以上により、ナットＮを締め付けることができる。
【００３０】
尚、上記実施例では、本体部１の本体係合部１４に菅継手Ｔの頭部Ｔ２の外周を係合させ、回動操作部材２の操作部材係合孔２１にナットＮを係合させたが、本体部１の本体係合部１４にナットＮを係合させ、回動操作部材２の操作部材係合孔２１に菅継手Ｔの頭部Ｔ２の外周を係合させるようにしても良い。又、本実施例では、本体部１の本体係合部１４、支持部３及び回動操作部材２に夫々、開口部１４ａ、３１ａ、１６ａを設け、菅継手Ｔの頭部Ｔ２及びナットＮに径方向側から係合できるようにしているが、例えばボルトにナットを締める場合のように軸方向側から本体係合部１４に通せる場合は、開口部１４ａ、３１ａ、１６ａを設けなくても良い。
【００３１】
次に、第２実施例について説明する。
第２実施例の装置は、本体部１の本体係合部１４に、パイプ等の丸棒状部材の外周を係合できるようにした実施例に係るものである。この第２実施例の装置は、先の第１実施例の装置をそっくり利用し、右枠体１１の右方側にクランプ部材６を付設したものである。従って、クランプ部材６を付けた以外は、先の実施例の構成と同構成を採るので、クランプ部材６のみを説明し、他は省略する。又、以下の実施例において、第１実施例と同構成の部分は、第１実施例に使用した番号を付す。
【００３２】
このクランプ部材６は、従来から使用されているものと同様のもので、図６に示すように右枠体１１に固定されたクランプ本体６１と、クランプ本体６１の上部に回動自在に取り付けられた湾曲状の挾持部材６２と、挾持部材６２を係止する係止部材６３とを備えている。
【００３３】
クランプ本体６１は、上部側に、上面から下方側に半円形状に窪まされた  イプ嵌挿部６１ａが備えられ、パイプを嵌挿できるようになされている。挾持部材６２は、一端側がクランプ本体６１の挾持部６１ａの側方に回動自在に取り付けられており、他端側には係止部材６３に係止される係止突片６２ａが備えられている。又、中央部の下面には、上方側に半円形状に窪まされた挾持部６２ｂが備えられ、クランプ本体６１のパイプ嵌挿部６１ａに嵌挿されたパイプの略上部全体に当接できるようになされている。
【００３４】
係止部材６３は、図７に示すようにコの字状を呈し、上部に、挾持部材６２の係止突片６３ａに着脱自在に係止する係止部６３ａを備え、下端に、クランプ本体６１の下端に回動自在に取り付けられる操作用孔６３ｂを備えている。この操作用孔６３ｃは、クランプ本体６１に固定された軸ピン６１ｂと、クランプ本体６１に設けられた棒状の操作ハンドル６１ｃに形成された押圧片６１ｄとに同時に通される。詳しくは、クランプ本体６１の軸ピン６１ｂは、操作用孔６３ｃより径小に形成されている。又、操作ハンドル６１ｃの先端が、軸ピン６１ｂに軸支され、その軸支位置から軸方向に所定間隔だけ隔てた位置に円柱状の押圧片６１ｄを備えており、又、軸ピン６１ｂから押圧片６１ｄまでの距離が操作用孔６３ｃと同程度とされている。そして、操作用孔６３ｃ内に軸ピン６１ｂ及び押圧片６１ｄが通されることにより、係止部材６３がクランプ本体６１に、操作用孔６３ｃと軸ピン６１ｂとの径の差分だけ上下左右方向に移動可能に回動自在に取り付けられる。尚、右枠体１１の上部は、クランプ本体６１のパイプ嵌挿部６１ａに嵌挿するパイプを通せる程度の孔を上面から穿設しておけば良く、先の実施例で形成した本体係合部１４の幅がパイプ嵌挿部６１ａの径より小さいような場合は、別途にパイプを通せる程度に開ければ良い。
【００３５】
このように構成された装置を用いて、例えばパイプＰに螺合されたナットＮを操作するには、まず、図７に示すようにパイプＰをクランプ本体６１のパイプ嵌挿部６１ａに嵌挿し、挾持部材６２をパイプＰの上部側に沿わす。その後、係止部材６３の係止部６３ａを、挾持部材６２の係止突片６２ａに係止する。その際、図７の一点鎖線で示すように操作ハンドル６１ｃを上方側に回動させつつ行えば、係止部材６３が操作用孔６３ｃと軸ピン６１ｂとの径の差分だけ上方側に移動し、容易に係止させることができる。そして、その状態から操作ハンドル６１ｃを下方側に回動操作する。これにより、操作ハンドル６１ｃの押圧片６１ｄが操作用孔６３ｃの内周を押圧し、係止部材６３を操作用孔６３ｃと軸ピン６１ｂとの径の差分だけ下方側に移動させることができ、軸ピン６１ｂ位置が係止部材６３の係止部６３ａと軸ピン６１ｂとを結ぶ線を越えれば係止部材６３を完全に係止できる。
【００３６】
そして、このパイプＰをクランプ本体６１に係止した状態では、図８に示すようにパイプＰに螺合したナットＮが、先の実施例と同様に支持部３の嵌挿部３１内における略軸芯位置に配位される。従って、先の実施例で説明した場合と同様に、回動操作部材２を嵌挿部３１の出し入れ口から嵌挿すれば、回動操作部材２とナットＮとを係合できる。尚、クランプ本体６１のパイプ嵌挿部６１ａ、挾持部材６２の挾持部６２ｂは、半円形状に形成してパイプ外周に面接させなくても、パイプ外周の少なくとも二点に当接できれば挾持でき、例えばＶ字状に形成しても良い。
【００３７】
次に、第３実施例について説明する。
第３実施例の装置は、図９(A) に示すような足場サポートＳのサポートジャッキＳ１に使用されるサポートジャッキ用締緩装置に係るものである。
まず、サポートジャッキ用締緩装置の説明に先立ち、この足場サポートＳを簡単に説明すると、足場サポートＳは、一般に建築現場において、仮枠等の建築部材を下方から支えるのに用いられるものであり、サポートジャッキＳ１は、足場サポートＳの上端部に備えられている。このサポートジャッキＳ１は、図９(B) 上部にハンドル部Ｓ５を有するジャッキ本体Ｓ２と、ジャッキ本体Ｓ２に螺合されたジャッキ部Ｓ３とを有する。又、ジャッキ部Ｓ３は、上部に建築部材載置部Ｓ６を備え、下部に雄ネジ部の刻設された軸Ｓ４を備え、この軸Ｓ４がジャッキ本体Ｓ２のハンドル部Ｓ５に刻設された雌ネジ部に螺合され、ジャッキ本体Ｓ２のハンドル部Ｓ５の回動操作により、ジャッキ部Ｓ３が雌ネジ部に案内されて上下移動できるようになされている。
【００３８】
このようなサポートジャッキＳ１は、ジャッキ部Ｓ３の建築部材載置部Ｓ６を所定高さに調整し、建築部材を載置した状態に維持させておくと、建築部材載置部に徐々に荷がかかり、後に取り外そうとしてもハンドル部Ｓ５を手で回し難くなってしまう。そのため、従来、ハンマー等でハンドル部Ｓ５を叩いて回しているのが現状であり、その結果、サポートジャッキＳ１に支障をきたす場合が多い。そこで、本願発明は、荷がかかってハンドル部Ｓ５を回し難くなった場合でも容易に回すことのできるものを提供することを目的に製作されたものである。
【００３９】
この実施例のサポートジャッキ用締緩装置は、図１０に示すように本体部１に、第２実施例で説明したと同様なクランプ部材５が付設され、一方、回動操作部材２１０は、図１０(A)(B)(C) に示すようにジャッキ部Ｓ３の軸Ｓ４を嵌挿するための軸嵌挿溝２１１が、外周から軸芯部に至る深さで左端から右端にかけて軸方向に沿って穿設されている。又、回動操作部材２１の右方側の外周部は、支持部３の嵌挿部３１内に嵌挿される部分をなし、先の実施例と同様なラチェット歯２３が形成されている。一方、左端面には、ジャッキ本体Ｓ２のハンドル部Ｓ５を嵌挿するためのハンドル嵌挿溝２１２が、左端面から所定深さで直径方向に軸嵌挿溝２１１と直交するように穿設されている。
【００４０】
そして、このサポートジャッキ用締緩装置を用いてサポートジャッキＳ１のジャッキ部Ｓ３を下げるには、先ず、回動操作部材２１の軸嵌挿溝２１１にジャッキ部Ｓ３の軸Ｓ４を嵌挿するとともに、ハンドル嵌挿溝２１２にジャッキ本体Ｓ２のハンドルＳ５を嵌挿する。これにより、回動操作部材２１をジャッキ本体Ｓ２のハンドルＳ５に係止できる。そして、その状態から、回動操作部材２１のラチェット歯２３を形成した部分に、本体部１の嵌挿部３１を嵌挿させる。又、本体部１の嵌挿部３１を嵌挿させることにより、ジャッキ部Ｓ３の軸Ｓ４をクランプ部材５のパイプ嵌挿部５１ａに沿わすことができる。その後、挾持部材５２と係止部材５３とを操作してジャッキ部Ｓ３の軸Ｓ４とクランプ部材５とを係止することにより、セットが完了する。尚、回動操作部材２１に本体部１の嵌挿部３１を嵌挿させる際、回動操作部材２１の端面と嵌挿部３１内の奥端面との間に、所定の隙間が開く程度にしておく。
【００４１】
そして、シリンダー４を作動させ、支持部３を回転し始めると、支持部３に歯合した回動操作部材２も共に回転し始め、これにより、ハンドルＳ５を回すことができる。その際、ハンドルＳ５が回るとジャッキ部Ｓ３が雌ネジ部に案内されて下方に移動し始めるが、それに伴い、本体部１の嵌挿部３１の内面が回動操作部材２１の外周を滑り、これにより、クランプ部材５に挾持されたジャッキ部Ｓ３をハンドルＳ５に対して円滑に下方に移動させることができる。このようにして、ハンドルＳ５を回すようにすれば、荷がかかってハンドルＳ５を回し難くなった場合でも、ハンマー等で叩かなくても容易に回すことができる。
【００４２】
次に、第４実施例について説明する。
第４実施例の装置は、例えば図１３に示すようにネジ螺合したパイプと管状の継手とを締め緩めするのに使用できるようにしたパイプ用締緩装置に係るものである。このパイプ用締緩装置は、本体部１に、第２、第３実施例で使用したと同様なクランプ部材６が付設されている。一方、回動操作部材３１は、図１２(A)(B)に示すように回動操作本体部３２０と、パイプ固定部材３３０との二つから構成されている。回動操作本体部３２０は、パイプ固定部材３３０を嵌挿するためのパイプ固定部材用嵌挿部３２１が、左端から右端にかけて軸方向に沿って穿設されている。又、このパイプ固定部材用嵌挿部３２１の内周には、複数の摺動溝３２２…３２２が左端から右端にかけて軸方向に沿って設けられている。一方、パイプ固定部材３３０の外周部には、先の実施例と同様なラチェット歯２３が形成されている。
【００４３】
パイプ固定部材３３０は、パイプを嵌挿させるための断面半円状のパイプ嵌挿部３３１が、左端から右端にかけて軸方向に沿って穿設されている。又、外周には、回動操作本体部３２０の摺動溝３２２…３２２に嵌挿される複数の摺動片３３２…３３２が設けられ、この外周部が回動操作本体部３２０のパイプ固定部材用嵌挿部３２１に嵌挿されることにより、パイプ固定部材３３０が回動操作本体部３２０に周方向回動不能且つ軸方向摺動可能に接続される。左端部には、パイプを挾持するためのパイプ挾持手段を備えている。このパイプ挾持手段は、本体部１に付設したクランプ部材５と同構成を採る。詳しくは、パイプ嵌挿部３３１に嵌挿したパイプを挾持するためのパイプ挾持部材３３３と、パイプ挾持部材３３３を係止するための係止部材３３４と、係止部材３３４を操作する操作ハンドル３３５とを備え、これらによりパイプを挾持できるようになされている。
【００４４】
このパイプ用締緩装置の使用方法は、図１３に示すようにまず、パイプＰに螺合した継手Ｇに本体部１のクランプ部材３０１を固定する。次に、パイプ固定部材３３０と回動操作本体部３２０とを接続した回動操作部材３２０を、本体部１の支持部３側に出たパイプＰにパイプ固定部材３３０のパイプ嵌挿部３３１を沿わすようにして、支持部３における嵌挿部の出し入れ口から嵌挿する。尚、パイプＰを継手Ｇに対して締め付ける場合は、パイプ固定部材３３０を回動操作本体部３２０に対してやや引き、パイプ固定部材３３０を回動操作本体部３２０から図示左方側に突出させておき、パイプ固定部材３３０を回動操作本体部３２０に対し右方側に摺動できるようにしておく。尚、この回動操作部材３１を、支持部の嵌挿部に嵌挿させる際、パイプ固定部材３３０と回動操作本体部３２０とを別途に順次行うようにしても良く、例えば、回動操作本体部３２０を予め支持部の嵌挿部に嵌挿させておき、継手Ｇに本体部１のクランプ部材３０１を固定した後に、パイプ固定部材３３０を回動操作本体部３２０のパイプ固定部材用嵌挿部３２１に嵌挿させるようにしても良い。そして、その状態から、パイプ固定部材３３０の挾持部材３３３及び係止部材３３４によって、パイプ嵌挿部３３１に沿わしたパイプＰを固定する。以上で、セットが完了する。
【００４５】
その後、シリンダー４を作動させ、支持部３を回転し始めると、支持部３に歯合した回動操作本体部３２０も共に回転し始め、同時に、パイプ固定部材３３０が回転する。これにより、パイプＰを継手Ｇに対して回すことができる。その際、パイプＰを継手Ｇに締め付ける場合は、パイプＰの回動に伴いパイプＰと継手Ｇとの間隔が徐々に短くなっていくが、その間隔に合わせてパイプ固定部材３３０が回動操作本体部３２０に対し摺動するため、円滑に両者を締め付けることができる。
【００４６】
【発明の効果】
以上、本願第１の発明は、回動操作部材を嵌挿部内で操作すれば、嵌挿部側に配位された一方側の被締緩部材と操作部材係合部とを容易に係合できる。又、回動操作部材を、一方側の被締緩部材の外周と係合し得る操作部材係合部を設けただけのものから構成するため、コンパクトなものとなり、嵌挿部内に嵌挿する操作も容易に行うことができる。従って、コンパクトな回動操作部材を嵌挿部に嵌挿させるという操作で済み、作業を容易に簡単に行うことができる。
【００４７】
又、本願第２の発明は、本願第１の発明の効果に加え、例えば螺合したボルトとナットとに係合させる場合は、ボルト頭部をその本体部の本体係合部に係合し、回動操作部材の操作部材係合部を嵌挿部内のナットの外周に嵌まるように位置合わせして嵌挿部の他端側から嵌挿部内に嵌挿すれば、その嵌挿に伴い自然と操作部材係合部にナットの外周を嵌めることができる。従って、作業を、より一層簡単に行うことができ、ボルトとナットや、ナット同士を締め緩めするのに適したものにできる。
【００４８】
一方、本願第３の発明は、例えばパイプに螺合した継手を締め緩めする場合には、パイプ固定部材によってパイプを継手に対して回すと、パイプの軸方向への移動に合わせてパイプと係合したパイプ固定部材が回動操作本体部を軸方向に摺動するため、パイプを継手に対して円滑に回すことができる。従って、パイプと継手とを締め緩めする場合に適したものにできる。
【図面の簡単な説明】
【図１】本願発明の第１実施例のネジ締緩装置の部分斜視図である。
【図２】支持部の縦断面図である。
【図３】本体部の要部中央横断面図である。
【図４】  (A) は、回動操作部材の正面図、(B) は、その左側面図である。
【図５】第１実施例の装置によりナットを操作する際の説明図である。
【図６】第２実施例の装置におけるクランプ部材の側面図である。
【図７】クランプ部材の説明図。
【図８】第２実施例の装置によりナットを操作する際の説明図である。
【図９】  (A) は、足場サポートの説明図、(B) は、足場サポートのサポートジャッキの説明図である。
【図１０】  (A) は、第３実施例の回動操作部材の正面図、(B) は、その左側面図、(C) は、その平面図である。
【図１１】第３実施例の装置によりサポートジャッキを操作する際の説明図である。
【図１２】第４実施例の回動操作部材に係り、(A) は、回動操作本体部の斜視図、(B) は、パイプ固定部材の斜視図である。
【図１３】第４実施例の装置によりパイプを操作する際の説明図である。
【図１４】従来例の分解斜視図である。
【符号の説明】
１…本体部、２…回動操作部材、３…支持部、４…操作部、３１…嵌挿部、２１…操作部材係合孔
【図１】
0003669736.tif 000002
【図２】
0003669736.tif 000003
【図３】
0003669736.tif 000004
【図４】
0003669736.tif 000005
【図５】
0003669736.tif 000006
【図６】
0003669736.tif 000007
【図７】
0003669736.tif 000008
【図８】
0003669736.tif 000009
【図９】
0003669736.tif 000010
【図１０】
0003669736.tif 000011
【図１１】
0003669736.tif 000012
【図１２】
0003669736.tif 000013
【図１３】
0003669736.tif 000014
【図１４】
0003669736.tif 000015